(57)【要約】【課題】被施療者に対して様々な体感を与えることができるとともに、マッサージ動作のバリエーションを増やすことができるマッサージ機を提供する。【解決手段】本発明は、左右一対に設けられるとともに上下に複数枚重ねてなるエアセル群７を有しており、前記エアセル群７は、左上エアセル８、左下エアセル９、右上エアセル１０、右下エアセル１１、とで構成されており、前記各エアセル８〜１１は、それぞれ独立して膨脹収縮可能な構成となっていることを特徴とする。【選択図】      図２
2016034314.tif 000002
【特許請求の範囲】
【請求項１】
左右一対に設けられるとともに上下に複数枚重ねてなるエアセル群を有しており、
前記エアセル群は、右上エアセル、右下エアセル、左上エアセル、左下エアセル、とで構成されており、
前記各エアセルは、それぞれ独立して膨脹収縮可能な構成となっていることを特徴とするマッサージ機。
【請求項２】
前記エアセル群は、左右交互に膨脹収縮することを特徴とする請求項１に記載のマッサージ機。
【請求項３】
前記エアセル群は、右上エアセルと左上エアセルとを膨脹させた後、右下エアセルと左下エアセルを左右交互に膨脹収縮させることを特徴とする請求項１に記載のマッサージ機。
【請求項４】
前記エアセル群は、右上エアセルと右下エアセル、又は、左上エアセルと左下エアセルとを段階的に膨脹収縮させることを特徴とする請求項１又は２に記載のマッサージ機。
【請求項５】
前記エアセル群は、上下で大きさが異なることを特徴とする請求項１〜４のいずれか１項に記載のマッサージ機。
【請求項６】
前記エアセル群は、被施療者の身体を支持する身体支持部に固定されており、
右上エアセルと左上エアエルは、前記右上エアセルと左上エアセルを固定するための第一基端部を有しており、
右下エアセルと左下エアセルは、前記身体支持部に対して固定するための第二基端部を有しており、
前記右上エアセルと右下エアセルは、膨脹方向が異なるように設けられており、
前記左上エアセルと左下エアセルは、膨脹方向が異なるように設けられていることを特徴とする請求項１〜５のいずれか１項に記載のマッサージ機。
【発明の詳細な説明】
【技術分野】
【０００１】
本発明は、マッサージ機に関する。より詳しくは、被施療者に対して様々な体感を与えることができるとともに、マッサージ動作のバリエーションを増やすことができるマッサージ機に関する。
【背景技術】
【０００２】
従来、膨縮袋の非膨縮縁部の一側を固着して重設膨縮袋を構成し、該重設膨縮袋のうち一方の膨縮袋の非膨縮縁部の他側を施療機に固着して各膨縮袋を同時又は個別に膨縮させるようにし、当該一方の膨縮袋は固着した部分を中心として斜め上方に傾斜しながら膨脹可能となるように構成されている（例えば、特許文献１の図６参照）。
【先行技術文献】
【特許文献】
【０００３】
【特許文献１】特許第４７７６４５２号公報
【発明の概要】
【発明が解決しようとする課題】
【０００４】
しかし、上記特許文献１に記載の施療機の重設膨縮袋は、左右一対に設けられた場合に、左右それぞれの重設膨縮袋が独立して膨脹収縮するように構成されていないため、マッサージ動作のバリエーションに乏しいという問題がある。
【０００５】
そこで本発明は、上述した問題を解消するためになされたものであり、被施療者に対して様々な体感を与えることができるとともに、マッサージ動作のバリエーションを増やすことができるマッサージ機を提供することを目的とする。
【課題を解決するための手段】
【０００６】
本発明は、左右一対に設けられるとともに上下に複数枚重ねてなるエアセル群を有しており、前記エアセル群は、右上エアセル、右下エアセル、左上エアセル、左下エアセル、とで構成されており、前記各エアセルは、それぞれ独立して膨脹収縮可能な構成となっていることを特徴とする。
このような構成とすることにより、被施療者に対して様々な体感を与えることができるとともに、マッサージ動作のバリエーションを増やすことができる。
【０００７】
また、前記エアセル群は、左右交互に膨脹収縮することが好ましい。
このような構成とすることにより、腰を回すようなストレッチ動作や足踏み動作をすることができるため、ストレッチ運動だけではなく、歩行訓練などのリハビリ運動もすることができる。
【０００８】
また、前記エアセル群は、右上エアセルと左上エアセルとを膨脹させた後、右下エアセルと左下エアセルを左右交互に膨脹収縮させることが好ましい。
このような構成とすることにより、被施療者の身体を挟んで揺らすような動作をすることができるため、被施療者の身体（例えば、腰）を挟んで揺らすストレッチをすることができる。
【０００９】
また、前記エアセル群は、右上エアセルと右下エアセル、又は、左上エアセルと左下エアセルとを段階的に膨脹収縮させることが好ましい。
このような構成とすることにより、被施療者の身体を段階的にストレッチさせることができる。
【００１０】
また、前記エアセル群は、上下で大きさが異なることが好ましい。
このような構成とすることにより、刺激の強さや体感を変えることができる。
【００１１】
また、前記エアセル群は、被施療者の身体を支持する身体支持部に固定されており、右上エアセルと左上エアエルは、前記右上エアセルと左上エアセルを固定するための第一基端部を有しており、右下エアセルと左下エアセルは、前記身体支持部に対して固定するための第二基端部を有しており、前記右上エアセルと右下エアセルは、膨脹方向が異なるように設けられており、前記左上エアセルと左下エアセルは、膨脹方向が異なるように設けられていることが好ましい。
このような構成とすることにより、マッサージ動作のバリエーションを増やすことができるため、簡単な構造で様々な体感を容易に得ることができる。
【発明の効果】
【００１２】
本発明によれば、被施療者に対して様々な体感を与えることができるとともに、マッサージ動作のバリエーションを増やすことができる。
【図面の簡単な説明】
【００１３】
【図１】本発明の一実施形態に係るマッサージ機の斜視図である。
【図２】エアセル群の斜視図である。
【図３】エアセル群の側面図である。
【図４】エアセル群の平面図である。
【図５】左上エアセルが膨脹した状態の正面図である。
【図６】左下エアセルが膨脹した状態の正面図である。
【図７】左上エアセルと左下エアセルが膨脹した状態の正面図である。
【図８】マッサージ動作（その１）を説明する図である。
【図９】マッサージ動作（その２）を説明する図である。
【図１０】マッサージ動作（その３）を説明する図である。
【図１１】マッサージ動作（その４）を説明する図である。
【図１２】マッサージ動作（その５）を説明する図である。
【図１３】マッサージ動作（その６）を説明する図である。
【図１４】本発明の他の実施形態に係るエアセル群の斜視図である
【図１５】本発明の他の実施形態に係るエアセル群の斜視図である。
【図１６】本発明の他の実施形態に係るエアセル群の斜視図である。
【発明を実施するための形態】
【００１４】
以下、本発明の一実施形態に係るマッサージ機の全体構成について説明する。
なお、以下の説明で用いる方向の概念は、図１に示す起立状態にあるマッサージ機１に着座した被施療者から見たときの方向の概念と一致するものとし、左手側が「左」であり、右手側が「右」であり、頭部側が「上」であり、腰部側が「下」であり、その他の場合は適宜説明するものとする。
【００１５】
［マッサージ機の全体構成］
図１に示す通り、本発明のマッサージ機１は、主として、被施療者が着座する座部２と座部２の後部にリクライニング可能に設けられた被施療者が凭れる背凭れ部３と、背凭れ部３の内部に昇降自在に設けられたマッサージ機構２０と、座部２の前部に上下揺動可能に設けられた被施療者の脚部及び足部を支持するフットレスト４と、座部２の左右両側に設けられた被施療者が腕部を載置する肘掛部５と、座部２を支持するとともに床面に設置される脚フレーム６と、を有している。そして、座部２や背凭れ部３など被施療者の身体を支持する身体支持部１７には、被施療者の施療部を施療するための施療機構としてのエアセル群７が設けられている。
【００１６】
［エアセル群の構成］
図２〜７に示す通り、前記エアセル群７は、座部２の上部に左右一対に設けられ、上下に複数枚重ねて構成されたエアセルからなっており、左上エアセル８、左下エアセル９、右上エアセル１０、右下エアセル１１とで構成されている。
また、左上エアセル８と左下エアセル９は、接続部１２によって取り付けられており、前記接続部１２を基点として、膨脹するように構成されており、右上エアセル１０と右下エアセル１１は、接続部１２によって取り付けられており、前記接続部１２を基点として、膨脹するように構成されている。
【００１７】
左上エアセル８と左下エアセル９とを纏めて左エアセル群１３とし、右上エアセル１０と右下エアセル１１とを纏めて右エアセル群１４とする。
なお、左エアセル群１３と右エアセル群１４とは、左右対称であり、同様の構成となっているため、同一の符号を付し、その説明を省略する。
【００１８】
［左上エアセルの構成］
図２〜７に示す通り、前記左上エアセル８は、平面から見て略四角形をなしており、側面から見て略長方形をなしており、直方体のような形状となっている。また、前記左上エアセル８の一端には、接続部１２が設けられており、前記接続部１２を介して、上下のエアセルが接続可能な構造になっている。なお、前記接続部１２は、一端に設けられていればよく、下のエアセルを座部２に対して取り付けるための取付部１５と重なるように設けられていても良い。
【００１９】
［左下エアセルの構成］
図２〜７に示す通り、前記左下エアセル９は、平面から見て四角形をなしており、側面から見て略長方形をなしており、直方体のような形状となっている。また、前記左下エアセル９の一端には、下のエアセルを座部２に対して取り付けるための取付部１５が設けられており、前記取付部１５を介して、座部２に対して取付可能な構成となっている。なお、前記取付部１５は一端に設けられていればよく、前記接続部１２と重なるように設けられていても良い。
【００２０】
前記左上エアセル８は、前記接続部１２を基点（第一基端部１８）として膨脹するように構成されており、前記左下エアセル９は前記取付部１５を基点（第二基端部１９）として膨脹するように構成されている。
【００２１】
［接続部の構成］
接続部１２は、左上エアセル８と左下エアセル９とを固定するために設けられており、上下のエアセルは前記接続部１２を介して固定されている。
【００２２】
［取付部の構成］
取付部１５は、左下エアセル９と座部２とを固定するために設けられており、左下エアセル９と座部２とは、前記取付部１５を介して固定されている。
【００２３】
以下、このマッサージ機の各種動作について説明する。図８はマッサージ動作（その１）を説明する図である。図９はマッサージ動作（その２）を説明する図である。図１０はマッサージ動作（その３）を説明する図である。図１１はマッサージ動作（その４）を説明する図である。図１２はマッサージ動作（その５）を説明する図である。図１３はマッサージ動作（その６）を説明する図である。
【００２４】
［マッサージ動作（その１）］
図８に示す通り、マッサージ動作（その１）は、左右のエアセルを交互に膨脹収縮させることによって、滑らかに歩くような（座りながら足踏みするような）動作を行うことを特徴とするものである。
具体的には、以下のステップに基づいて動作を行う。
【００２５】
［ステップ１］左上エアセル８を膨脹させる。
［ステップ２］左上エアセル８の膨脹を維持しつつ、左下エアセル９を膨脹させる。
［ステップ３］左下エアセル９の膨脹を維持しつつ、左上エアセル８を収縮させるとともに、右上エアセル１０を膨張させる。
［ステップ４］右上エアセル１０の膨脹を維持しつつ、左下エアセル９を収縮させるとともに、右下エアセル１１を膨脹させる。
［ステップ５］右下エアセル１１の膨脹を維持しつつ、左上エアセル８を膨脹させるとともに、右上エアセル１０を収縮させる。
［ステップ６］左上エアセル８の膨脹を維持しつつ、左下エアセル９を膨脹させるとともに、右下エアセル１１を収縮させる。
【００２６】
以上、前記ステップ１〜ステップ６の動作を繰り返し行うことで、滑らかに歩くような（座りながら足踏みするような）動作を実現することができる。
なお、前記ステップ１において、先に左エアセル群１３から膨脹させたが、右エアセル群１４から膨脹させても良く、その場合には、左右のエアセルの動作が入れ替わることとなる。また、前記マッサージ動作（その１）については、一例であり、左右のエアセルを交互に膨脹収縮させることによって、滑らかに歩くような（座りながら足踏みするような）動作を行えるように構成していればよい。
【００２７】
［マッサージ動作（その２）］
図９に示す通り、マッサージ動作（その２）は、上下左右のエアセルを順次膨脹収縮させることにより、腰を８の字状に回すような動作を行うことを特徴とするものである。
具体的には、以下のステップに基づいて動作を行う。
【００２８】
［ステップ１］左上エアセル８を膨脹させる。
［ステップ２］左上エアセル８の膨脹を維持しつつ、左下エアセル９を膨脹させ、その後、左下エアセル９を収縮させる。
［ステップ３］左上エアセル８を収縮させるとともに右上エアセル１０を膨脹させる。
［ステップ４］右上エアセル１０の膨脹を維持しつつ、右下エアセル１１を収縮させ、その後、右下エアセル１１を収縮させる。
［ステップ５］右上エアセル１０を収縮させるとともに左上エアセル８を膨脹させる。
【００２９】
以上、前記ステップ１〜ステップ５の動作を繰り返し行うことで、腰を８の字状に回すような動作を実現することができる。
なお、ステップ１において、先に左エアセル群１３から膨脹させたが、右エアセル群１４を先に膨脹させても良く、その場合には、左右のエアセルの動作が入れ替わることとなる。また、前記マッサージ動作（その２）については、一例であり、腰を８の字状に回すような動作を行えるように構成していればよい。
【００３０】
［マッサージ動作（その３）］
図１０に示す通り、マッサージ動作（その３）は、腰を挟んで揺らす様な動作を行うことを特徴とするものである。
具体的には、以下のステップに基づいて動作を行う。
【００３１】
［ステップ１］左上エアセル８と右上エアセル１０を膨脹させた後に、左下エアセル９を膨脹させる。
［ステップ２］左上エアセル８と右上エアセル１０の膨脹を維持しつつ、左下エアセル９を収縮させるとともに右下エアセル１１を膨脹させる。
［ステップ３］左上エアセル８と右上エアセル１０の膨脹を維持しつつ、左下エアセル９を膨脹させるとともに右下エアセル１１を収縮させる。
［ステップ４］左上エアセル８と右上エアセル１０の膨脹を維持しつつ、左下エアセル９を収縮させるとともに右下エアセル１１を膨脹させる。
【００３２】
以上、前記ステップ１〜４の動作を繰り返し行うことで、腰を挟んで揺らすような動作を実現することができる。
なお、ステップ１において、左上エアセル８と右上エアセル１０を膨脹させたが、左下エアセル９と右下エアセル１１を膨脹させても良く、その場合には、上下のエアセルの動作が入れ替わることとなる。
【００３３】
図１１に示す通り、マッサージ動作（その４）は、段階的に身体を捻る動作を行うことを特徴とするものである。
具体的には、以下のステップに基づいて動作を行う。
【００３４】
［ステップ１］左上エアセル８を膨脹させた後に、左下エアセル９を膨脹させる（２段階で膨脹させる）。
【００３５】
以上、前記ステップ１の動作を行うことで、段階的に身体を捻る動作を実現することができる。
なお、ステップ１において、左上エアセル８を先に膨脹させたが、左下エアセル９、右上エアセル１０、右下エアセル１１のいずれのエアセルから膨脹させてもよく、初めに膨脹させた側と同側のエアセルを膨脹させればよい。
【００３６】
［マッサージ動作（その５）］
図１２に示す通り、マッサージ動作（その５）は、段階的に身体を反らせるような動作を行うことを特徴とするものである。
具体的には、以下のステップに基づいて動作を行う。
【００３７】
［ステップ１］左上エアセル８と右上エアセル１０を膨脹させた後、左上エアセル８と右上エアセル１０の膨脹を維持しつつ、左下エアセル９と右下エアセル１１を膨脹させる。
［ステップ２］左下エアセル９と右下エアセル１１の膨脹を維持しつつ、左上エアセル８と右上エアセル１０を収縮させた後、左下エアセル９と右下エアセル１１を収縮させるとともに左上エアセル８と右上エアセル１０を膨脹させる。
【００３８】
以上、前記ステップ１、２の動作を繰り返し行うことで、段階的に身体を反る動作を実現することができる。
なお、リクライニングを倒した状態で行うことで、より効果的に体を反ることができる。また、ステップ１において、左上エアセル８と右上エアセル１０を先に膨脹させたが、左下エアセル９と右下エアセル１１から膨脹させてもよく、上と下のエアセルを交互に膨脹収縮させればよい。
【００３９】
［マッサージ動作（その６）］
図１３に示す通り、マッサージ動作（その６）は、段階的に身体を傾けるような動作を行うことを特徴とするものである。
具体的には、以下のステップに基づいて動作を行う。
【００４０】
［ステップ１］左下エアセル９を膨脹させた後に、左下エアセル９の膨脹を維持しつつ、左上エアセル８を膨脹させる。
［ステップ２］左下エアセル９の膨脹を維持しつつ、左上エアセル８を収縮させる。
【００４１】
以上、前記ステップ１、２の動作を繰り返し行うことで、段階的に身体を傾ける動作を実現することができる。
なお、ステップ１において、左下エアセル９を先に膨脹させたが、左上エアセル８、右上エアセル１０、右下エアセル１１のいずれのエアセルから膨脹させても良く、初めに膨脹させた側のエアセルを段階的に膨脹収縮させればよい。
【００４２】
図１４に示す通り、前記左エアセル群２６は、上下で大きさが異なっており、小エアセル２４は、大エアセル２５の前方、中央、後方のいずれの位置に設けられていても良い。そうすることで、例えば、小エアセル２４を大エアセル２５の前方に取付けた前記左エアセル群２６を座面２に対して適用した場合には、膨脹量が、座面前側の方が座面後側よりも大きくなるため、ストロークを大きく確保することができ、より効果的に脚踏み動作を行うことができる。
【００４３】
また、図１５に示す通り、前記左エアセル群３２は、上下で膨脹方向が異なるように設けられている。
このように構成することで、例えば、下エアセル３１を内側方向に膨脹するように、上エアセル３０を前方向に膨脹するように取り付けた左エアセル群３２を座面２に適用した場合には、被施療者を前方に押し出すように膨脹するため、立ち上がり補助として使用することができる。
【００４４】
図１６は、本発明の他の実施形態に係るエアセルの斜視図であり、左エアセル群３８の左上エアセル３６は、中央部が空洞になったドーナツ型になっており、左下エアセル３７には、被施療者の施療部位に対して刺激を与えるための指圧用突起１６が設けられており、左上エアセル３６と左下エアセル３７の膨脹収縮の組合せにより、被施療者に対して異なる刺激を与えることができる。
なお、右エアセル群２１については左エアセル群２６と、右エアセル群２９については左エアセル群３２と、右エアセル群３５については、左エアセル群３８と同様の構成となっているため、同一の符号を付し、その説明を省略する。
【００４５】
なお、本実施例においては、座面２に適用した場合を示したが、背凭れ部３やフットレスト４、肘掛部５など前記エアセル群７、２９、３２、３５、３８が被施療者の施療部位に当接する部分であれば、どこに設けても良い。
【産業上の利用可能性】
【００４６】
本発明は、被施療者に対して様々な体感を与えることができるとともに、マッサージ動作のバリエーションを増やすことができるマッサージ機に適用することができる。
【符号の説明】
【００４７】
エアセル群７
左上エアセル８
左下エアセル９
右上エアセル１０
右下エアセル１１
左エアセル群１３
右エアセル群１４
身体支持部１７
第一基端部１８
第二基端部１９
【図１】
2016034314.tif 000003
【図２】
2016034314.tif 000004
【図３】
2016034314.tif 000005
【図４】
2016034314.tif 000006
【図５】
2016034314.tif 000007
【図６】
2016034314.tif 000008
【図７】
2016034314.tif 000009
【図８】
2016034314.tif 000010
【図９】
2016034314.tif 000011
【図１０】
2016034314.tif 000012
【図１１】
2016034314.tif 000013
【図１２】
2016034314.tif 000014
【図１３】
2016034314.tif 000015
【図１４】
2016034314.tif 000016
【図１５】
2016034314.tif 000017
【図１６】
2016034314.tif 000018